【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
ユーザによって入力された検索用語を受信することと、
前記検索用語に基づいて、検索結果を獲得することと、
前記検索結果に対応する明細情報を獲得することと、
１つまたは複数の単語区分を前記明細情報から抽出することと、
少なくとも１つの単語区分がハイパーリンクラベルを有する前記１つまたは複数の単語区分を組み合わせて、前記検索結果のタイトルを生成することと、
前記ハイパーリンクラベルを有する前記単語区分を前記組み合わせた後の前記タイトルを表示のためにユーザ端末に返信することと、
を含む、情報検索方法。
【請求項２】
各ハイパーリンクラベルを有する単語区分の前記ユーザの選択に関する情報を受信して、前記ユーザが選択した前記単語区分を決定することと、
前記検索用語を前記ユーザが選択した前記単語区分と組み合わせて、新しい検索用語を生成することと、
前記新しい検索用語に基づいて情報を検索すること、及び、前記新しい検索用語に対応する検索結果を前記ユーザ端末に返信することと、
をさらに含む、請求項１に記載の方法。
【請求項３】
商品検索において、前記検索結果は、前記検索用語に対応する商品に関する情報を含み、前記検索結果に対応する前記明細情報は、
前記商品のタイトル、
前記商品の特徴データ、及び、
前記商品が属する店の特徴データ
のうちの１つまたは複数を含む、請求項１に記載の方法。
【請求項４】
前記商品の前記タイトルは、前記商品の元のタイトルを含み、１つまたは複数の単語区分を前記明細情報から前記抽出することは、
前記商品の前記元のタイトルの長さを短くして、前記元のタイトルを短いタイトルに変換することと、
前記短いタイトルを１つまたは複数の単語区分に分割することと、
を含む、請求項３に記載の方法。
【請求項５】
前記商品の前記元のタイトルの前記長さを前記短くして、前記元のタイトルを前記短いタイトルに変換することは、
予めセットされた短いタイトルの候補セットであって、複数の短いタイトルを含む前記短いタイトルの候補セットを獲得することと、
前記短いタイトルの候補セットに属する短いタイトルを前記元のタイトルから抽出することと、
を含む、請求項４に記載の方法。
【請求項６】
ユーザによって入力された検索用語を受信するように構成された受信モジュールと、
前記検索用語に基づいて、検索結果を獲得するように構成された第１の獲得モジュールと、
前記検索結果に対応する明細情報を獲得するように構成された第２の獲得モジュールと、
１つまたは複数の単語区分を前記明細情報から抽出するように構成された抽出モジュールと、
少なくとも１つの単語区分がハイパーリンクラベルを有する前記１つまたは複数の単語区分を組み合わせて、前記検索結果のタイトルを生成するように構成された生成モジュールと、
前記ハイパーリンクラベルを有する前記単語区分を前記組み合わせた後の前記タイトルを表示のためにユーザ端末に返信するように構成された送信モジュールと、
を含む、情報検索装置。
【請求項７】
各ハイパーリンクラベルを有する単語区分の前記ユーザの選択に関する情報を受信して、前記ユーザが選択した前記単語区分を決定するように構成された決定モジュールと、
前記検索用語を前記ユーザが選択した前記単語区分と組み合わせて、新しい検索用語を生成するように構成された更新モジュールと、
前記新しい検索用語に基づいて情報を検索し、前記新しい検索用語に対応する検索結果を前記ユーザ端末に返信するように構成された検索モジュールと、
をさらに含む、請求項６に記載の装置。
【請求項８】
商品検索において、前記検索結果は、前記検索用語に対応する商品に関する情報を含み、前記検索結果に対応する前記明細情報は、
前記商品のタイトル、
前記商品の特徴データ、及び、
前記商品が属する店の特徴データ
のうちの１つまたは複数を含む、請求項６に記載の装置。
【請求項９】
前記商品の前記タイトルは、前記商品の元のタイトルを含み、前記抽出モジュールは、
前記商品の前記元のタイトルの長さを短くして、前記元のタイトルを短いタイトルに変換するように、且つ、
前記短いタイトルを１つまたは複数の単語区分に分割するように、
構成される、請求項８に記載の装置。
【請求項１０】
前記抽出モジュールが、前記商品の前記元のタイトルの前記長さを短くして、前記元のタイトルを短いタイトルに変換するように構成されることは、
予めセットされた短いタイトルの候補セットであって、複数の短いタイトルを含む前記短いタイトルの候補セットを獲得することと、
前記短いタイトルの候補セットに属する短いタイトルを前記元のタイトルから抽出することと、
を含む、請求項９に記載の装置。
【手続補正２】
【補正対象書類名】明細書
【補正対象項目名】００３０
【補正方法】変更
【補正の内容】
【００３０】
例えば、検索結果は、元のタイトルを含む。元のタイトルが、「Ｎａｎｊｉｒｅｎの中年男性用の新しい厚手のウール襟付きダウンジャケット」である場合、単語区分「厚手の」、「ウール襟付き」及び「ダウンジャケット」が、元のタイトルから抽出されてよい。ハイパーリンクラベルを有する単語区分が「厚手の」であるとすると、取得される検索結果のタイトルは、「厚手のウール襟付きダウンジャケット」であり、ここで、「厚手の」は、ハイパーリンクが追加された単語区分である。ハイパーリンクは、ウェブサイトで頻繁に使用されるＨＴＭＬ要素である。ハイパーリンクは、ＨＴＭＬ要素を設定することによって、キーワードに追加されてよく、それによって、ページ間のリダイレクトを完了する。
【手続補正３】
【補正対象書類名】明細書
【補正対象項目名】００３２
【補正方法】変更
【補正の内容】
【００３２】
例えば、サーバ端末は、組み合わせ後のタイトルをクライアント端末に送信し、クライアント端末は、検索結果ページの商品タイトル提示位置に、「厚手のウール襟付きダウンジャケット」等の処理済みタイトルを提示する。
【手続補正４】
【補正対象書類名】明細書
【補正対象項目名】００３５
【補正方法】変更
【補正の内容】
【００３５】
例えば、「厚手のウール襟付きダウンジャケット」がユーザに提示された後、ユーザが「厚手の」をクリックまたはタップしたとすると、選択された単語区分は、「厚手の」であると決定される。
【手続補正５】
【補正対象書類名】明細書
【補正対象項目名】００５８
【補正方法】変更
【補正の内容】
【００５８】
例えば、処理済みタイトルは、「厚手のウール襟付きダウンジャケット」である。ここで、「厚手の」は、ハイパーリンクが追加された単語区分である。ハイパーリンクは、ウェブサイトで頻繁に使用されるＨＴＭＬ要素である。ハイパーリンクは、ＨＴＭＬ要素を設定することによって、キーワードに追加されてよく、それによって、ページ間のリダイレクトを完了する。
【手続補正６】
【補正対象書類名】明細書
【補正対象項目名】００６０
【補正方法】変更
【補正の内容】
【００６０】
例えば、処理済み検索結果を獲得後、サーバ端末は、処理済み検索結果をクライアント端末に送信してよく、クライアント端末は、検索結果ページの商品タイトル提示位置に処理済みタイトルを提示する。例えば、図３を参照すると、処理済み商品タイトル３１が提示され、処理済みタイトルは、「厚手のウール襟付きダウンジャケット」である。
【手続補正７】
【補正対象書類名】明細書
【補正対象項目名】００６４
【補正方法】変更
【補正の内容】
【００６４】
図４は、本開示の別の実施形態例による、情報検索装置の概略構造図である。装置４０は、受信モジュール４１、第１の獲得モジュール４２、第２の獲得モジュール４３、抽出モジュール４４、生成モジュール４５、及び、送信モジュール４６を含む。
【手続補正８】
【補正対象書類名】明細書
【補正対象項目名】００８１
【補正方法】変更
【補正の内容】
【００８１】
例えば、検索結果は、元のタイトルを含む。元のタイトルが、「Ｎａｎｊｉｒｅｎの中年男性用新しい厚手のウール襟付きダウンジャケット」である場合、単語区分である「厚手の」、「ウール襟付き」及び「ダウンジャケット」が、元のタイトルから抽出されてよい。ハイパーリンクラベルを有する単語区分が「厚手の」であるとすると、検索結果のタイトルは、「厚手のウール襟付きダウンジャケット」であることが取得されてよく、ここで、「厚手の」は、ハイパーリンクが追加された単語区分である。ハイパーリンクは、ウェブサイトで頻繁に使用されるＨＴＭＬ要素である。ハイパーリンクは、ＨＴＭＬ要素を設定することによって、キーワードに追加されてよく、それによって、ページ間のリダイレクトを完了する。
【手続補正９】
【補正対象書類名】明細書
【補正対象項目名】００８３
【補正方法】変更
【補正の内容】
【００８３】
例えば、サーバ端末は、組み合わせ後のタイトルをクライアント端末に送信する。クライアント端末は、検索結果ページの商品タイトル提示位置に、「厚手のウール襟付きダウンジャケット」等の処理済みタイトルを提示する。
【手続補正１０】
【補正対象書類名】明細書
【補正対象項目名】００８６
【補正方法】変更
【補正の内容】
【００８６】
例えば、「厚手のウール襟付きダウンジャケット」がユーザに提示された後、ユーザが「厚手の」をクリックまたはタップすると仮定すると、選択された単語区分は「厚手の」であると決定される。